(57)【要約】【課題】  従来の抽斗付きベッド、特に宮無しタイプのベッドでは物を置くスペースが無いので、別置きのテーブル等を設置する場合が多く抽斗の出し入れ時にテーブルが邪魔な為使用することが難しかった。【解決手段】フラットなヘッドボードに天板を備えたベッドであって前記ヘッドボードは該ヘッドボードの縦壁面に沿って設けられるテーブル部材を備え、該テーブル部材は前記ヘッドボードの縦壁面に沿った左右の縦板材とツナギ材及び縦板材に対して水平方向に回動自在となるテーブル板とで構成される。前記ツナギ材には、前記ヘッドボードに設けられたガイド部材に沿ってスライドさせるガイド機構を設ける。【選択図】図１
2018114256.tif 000002
【特許請求の範囲】
【請求項１】
フラットなヘッドボードに天板を備えたベッドであって、前記ヘッドボードは該ヘッドボードの縦壁面に沿って設けられるテーブル部材を備え、該テーブル部材は前記ヘッドボードの縦壁面に沿った左右の縦板材とツナギ材及び縦板材に対して水平方向に回動自在となるテーブル板とで構成される。前記ツナギ材には、前記ヘッドボードに設けられたガイド部材に沿ってスライドさせるガイド機構が設けられていることを特徴とするベッド。
【請求項２】
前記ガイド部材は、前記ヘッドボード天板の下面に設けられたガイド部材と、ヘッドボード裏面下端の左右に設けられたＪ型金具で構成された請求項１のベッド。
【請求項３】
前記ガイド機構は、上部ツナギ材に取り外し可能なスライド部材と、下部ツナギ材に取り外し可能なキャスター取り付け部材で構成され、該キャスター取り付け部材の下面に開けた溝にＪ型金具にて係合された請求項１のベッド。
【請求項４】
前記テーブル板は、該テーブル板下端より中央よりに回転軸を設け９０度に折り畳めることとし、水平状態での支えはテーブル保持材の下端で支えることとした請求項１のベッド。
【発明の詳細な説明】
【技術分野】
【０００１】本発明は、一般家庭の抽斗付きベッドに関する。
【背景技術】
【０００２】従来のベッドは、スペースを有効的に利用する目的で抽斗を設ける場合がある。
【発明の概要】
【発明が解決しようとする課題】
【０００３】上記に述べた従来の抽斗付きベッド、特に宮無しタイプのベッドでは物を置くスペースが無いので別置きのテーブル等を設置する場合が多く抽斗の出し入れ時にテーブルが邪魔な為使用する事が難しかった。【０００４】本発明は、従来の抽斗付きベッドに別置きのテーブルを使用する場合に抽斗を使い難い問題を解決しようとするもので、テーブルを使用しない時は、ヘッドボード本体に格納出来る折り畳めるテーブル付きのベッドを実現することを目的とするものである。
【課題を解決するための手段】
【０００５】そして本発明は、上記目的を達成するために、フラットなヘッドボードに天板を備えたベッドであって前記ヘッドボードは該ヘッドボードの縦壁面に沿って設けられるテーブル部材を備え、該テーブル部材は前記ヘッドボードの縦壁面に沿った左右の縦板材とツナギ材及び縦板材に対して水平方向に回動自在となるテーブル板とで構成される。
前記ツナギ材には、前記ヘッドボードに設けられたガイド部材に沿ってスライドさせるガイド機構が設けられていることを特徴とするベッド。【０００６】また前記ガイド部材は、前記ヘッドボード天板下面に設けられたガイド部材と、ヘッドボード裏面下端の左右に設けられたＪ型金具で構成されたベッド。【０００７】前記ガイド機構は上部ツナギ材に取り外し可能なスライド部材と、下部ツナギ材に取り外し可能なキャスター取り付け部材で構成され、該キャスター取り付け部材の下面に開けた溝にＪ型金具にて係合されるベッド。【０００８】前記テーブル板は、該テーブル板下端より少し中央よりに回転軸を設け９０度に折り畳めることとし、水平状態の支えはテーブル保持材で支えられたベッド。【０００９】上記の第１の課題解決手段による作用は、次の通りである。
すなわち、テーブル本体に取り付けられたスライド保持材がガイド部材にて安定して支えられスムーズに移動が可能で、スライド保持材及びキャスター取り付け部材の取付け位置を変えることで左右どちら側でも使用が可能である。【００１０】また、第２の課題解決手段による作用はＪ型金具取り付けにより開き止めとストッパーを兼ねる事ができる。【００１１】そして、第３の課題解決の手段による作用はテーブルの回転軸を中央寄りに取り付けることによりズレを作りテーブル保持材の下端で水平状態を維持できるので抽斗の出し入れに邪魔にならないのであり、テーブルを使用しない時は、ヘッドボードに格納できるのである。
【発明の効果】
【００１２】上述したような本発明の抽斗付ベッドは、テーブル使用時にはステーや足など無いテーブルなので、抽斗の出し入れに邪魔にならずテーブルを使用しない時はヘッドボードに格納出来るので掃除等が楽である。【００１３】また、取り外しが可能なスライド保持材とキャスター取り付け部材の位置を変えることで右側使い左側使いが自由に出来るので、シングル・セミダブルサイズベッドでは片側使いが普通なので便利である。
【図面の簡単な説明】
【００１４】
【図１】  本発明の実施形態を示す外観図
【図２】  テーブル本体の外観図
【図３】  テーブル格納時の外観図
【図４】  図１テーブル本体のＡ−Ａ断面図
【図５】  Ｊ型金具係合拡大図
【図６】  キャスター取り付け部材の長穴加工図
【図７】  Ｊ型金具取り付け図及びガイド部材取り付け図
【発明を実施するための形態】
【００１５】以下本発明の実施形態を図１〜図４に基づいて説明する。
【００１６】テーブル本体は、縦板とツナギ板テーブル保持材と該縦板の中央部に設けられた回転軸によって水平方向及び前記縦板と重ね合う状態とした回動するテーブル板とから構成されており、スライド保持材キャスター取り付け部材は取り外しが可能である。
【００１７】ヘッドボード裏面下端左右に取り付けたＪ型金具は、キャスター取り付け部材の下面に開けた長穴に係合してテーブル本体の開き止めとストッパーを兼ねるものである。
【００１８】また、テーブル板の下端より少し中央寄りに回転軸を設け、テーブル板の水平状態の支えは、テーブル保持材の下端で水平を保つのである。
【００１９】以下上記構成の動作を説明する。テーブル本体に取り付けられたスライド保持材が、ガイド部材に安定して支えられスムーズに移動が可能である。そして、スライド保持材と、キャスター取り付け部材の取り付け位置を変えることで左右どちら側でも使用することができテーブルを使用しない時は、テーブル板を折り畳んでヘッドボードに格納出来るのである。
【００２０】また、ヘッドボード裏面下端左右に取り付けられたＪ型金具によりキャスター取り付け部材下面に開けられた長穴に係合され開き止めとストッパーを兼ねることが出来るのである。
【００２１】また、テーブル板の回転軸を少し中央寄りに設ける事でズレを作りテーブル保持材の下端で支え、水平状態を維持出来るのでテーブル使用時でもステーや足が無いので抽斗の出し入れに邪魔にならないのである。
【符号の説明】
【００２２】１．テーブル本体
２．縦板
３．テーブル保持材
４．ツナギ材
５．スライド保持材
６．キャスター取り付け部材
７．テーブル板
８．ガイド部材
９．ヘッドボード天板
１０．ヘッドボード
１１．Ｊ型金具
１２．キャスター
１３．取り付け穴
１４．長穴
【図１】
2018114256.tif 000003
【図２】
2018114256.tif 000004
【図３】
2018114256.tif 000005
【図４】
2018114256.tif 000006
【図５】
2018114256.tif 000007
【図６】
2018114256.tif 000008
【図７】
2018114256.tif 000009